(57)【特許請求の範囲】
【請求項１】
商品を計量する計量手段と、商品毎の設定重量を記憶する商品情報記憶部とを備え、該商品情報記憶部の設定重量と前記計量手段の計量値とを比較して商品の量目をチェックするようにした商品処理装置において、
前記商品情報記憶部から、処理すべき商品の設定重量を読み出す読出モードを設け、
該読出モードにおいて、商品を計量すると、当該計量値に等しいかそれに近い設定重量と、前記設定重量に該当する商品の特定情報とを前記商品情報記憶部から読み出して表示するようにした商品処理装置。
【請求項２】
商品を計量する計量手段と、商品毎の設定重量を記憶する商品情報記憶部とを備え、該商品情報記憶部の設定重量と前記計量手段の計量値とを比較して商品の量目をチェックするようにした商品処理装置において、
前記商品情報記憶部から、処理すべき商品の設定重量を読み出す読出モードを設け、
該読出モードにおいて、商品を計量すると、当該計量値に等しいかそれに近い設定重量と、前記設定重量に該当する商品の特定情報とを前記商品情報記憶部から読み出して表示し、表示された商品の中から処理すべき商品が指定されると、該当商品の設定重量に基づいて前記処理を行えるようにした商品処理装置。
【請求項３】
請求項１または２に記載の商品処理装置は、商品を搬送しながら計量し、得られた計量値と設定された基準重量とを比較して商品の量目をチェックする重量チェッカーであることを特徴とする商品処理装置。
【請求項４】
商品を搬送しながら商品の重量を計る計量コンベヤと、
商品ごとに商品の基準重量を記憶する商品情報記憶部と、
前記計量コンベヤで計量した計量値と、前記基準重量に対する許容範囲に基づいて商品を選別する選別信号を出力する演算部とを備えた商品処理装置において、
前記計量コンベヤによって計量された商品の計量値に基づき前記商品情報記憶部の記憶内容を検索して商品の基準重量を読み出す読出モードを設け、
該読出モードにおいては、
計量値が各商品についての検索範囲重量以内か否かを前記演算部が判別して該検索範囲重量の商品を選択し、該選択した商品についての前記商品情報記憶部の記憶内容から当該選択した商品の特定情報および前記基準重量を制御部が表示部に表示させ、
該表示画面において商品が指定されると前記商品情報記憶部に記憶された当該商品の基準重量が設定されるようにしたことを特徴とする商品処理装置。
【請求項５】
商品を搬送しながら商品の重量を計る計量コンベヤと、
商品ごとに商品の基準重量を記憶する商品情報記憶部と、
前記計量コンベヤで計量した計量値と、前記基準重量に対する許容範囲に基づいて商品を選別する選別信号を出力する演算部とを備えた商品処理装置において、
前記計量コンベヤによって計量された商品の計量値に基づき商品の基準重量を読み出す読出モードを設け、
該読出モードにおいては、
商品を計量して得た計量値と、各商品についての前記基準重量との偏差を前記演算部が求め、該偏差に応じた順に、商品についての前記商品情報記憶部の記憶内容から当該選択した商品の特定情報および前記基準重量を制御部が表示部に表示させ、
該表示画面において商品が指定されると前記商品情報記憶部に記憶された当該商品の基準重量が設定されるようにしたことを特徴とする商品処理装置。
【発明の詳細な説明】
【０００１】
【発明の属する技術分野】
本発明は重量チェッカーおよび計数装置などのように計量手段を有する商品処理装置に関するものである。
【０００２】
【従来の技術】
従来より、計量手段付の商品処理装置として、たとえば、重量チェッカーおよび計数装置が知られている。かかる重量チェッカーや計数装置においては、商品の呼出No. を入力して、計数やラベル発行を行うために必要な登録データを呼び出す作業が必要となる。
【０００３】
【発明が解決しようとする課題】
このように、商品処理装置においては、登録データを呼び出す作業が必要であるのに対し、近年、商品が多様化し、そのため、商品の種類が多くなって、該当する商品（または商品の呼出No. ）を見つけ出すことが難しい。
【０００４】
したがって、本発明の目的は、商品の登録数が多くなっても、容易かつ迅速に該当する商品を見つけ出すことのできる商品処理装置を提供することである。
【０００５】
【課題を解決するための手段】
前記目的を達成するために、本発明は、商品を計量する計量手段と、商品毎の設定重量を記憶する商品情報記憶部とを備え、該記憶部の設定重量と前記計量手段の計量値とに基づいて商品に所定の処理を施すようにした商品処理装置において、前記記憶部から、処理すべき商品の設定重量を読み出す読出モードを設け、該読出モードにおいて、商品を計量すると、当該計量値と等しいかそれに近い設定重量を商品情報記憶部から読み出して表示する。
【０００６】
本発明において、「設定重量」とは、商品の内容量として表示する目標重量など、商品の種類により定まる重量をいう。
【０００７】
【発明の実施の形態】
以下、本発明の実施形態を図面にしたがって説明する。
図１から図３は本発明を重量チェッカー（商品処理装置の一例）に適用したものである。重量チェッカーは、商品を搬送しながら商品の重量を計量し、得られた計量値と後述する基準重量とを比較して、商品の量目をチェックして、商品を選別したり、不良品を系外に排出するものである。
【０００８】
図１（ａ）に示すように、重量チェッカーは、計量コンベヤ１０と、該計量コンベヤ１０の下流に設けられた振分装置１１とを備えている。計量コンベヤ１０および振分装置１１は、図示しないインターフェイスを用いて図２（ａ）に示すマイコン２０に接続されている。
【０００９】
図１（ａ）の計量コンベヤ１０は、たとえばストレッチ包装機等で包装された商品Ｍをベルトコンベヤ１３で搬送しながら計量するもので、重量検出器１２が測定信号を図２（ａ）の計量手段２８に出力する。計量手段２８は、重量検出器１２およびマイコン２０に図示しないインターフェイスを介して接続されており、前記測定信号から振動成分を除去した計量値をマイコン２０に出力する。
【００１０】
前記マイコン２０は、ＣＰＵ２１およびメモリ２４を有していると共に、該マイコン２０には、図示しないインターフェイスを介して、表示部２６および入力操作部２７が接続されている。メモリ２４は商品マスタ（商品情報記憶部）２５を備えている。商品マスタ２５には、図２（ｂ）に示すように、呼出No. 、品名、商品の基準重量、該基準重量に対する許容偏差（許容範囲）Ｗａなどが、商品ごとに互いに関連づけられて、登録データとして記憶されている。前記基準重量（設定重量）は、商品に内容量として表示される目標重量である。許容偏差Ｗａは、商品の重量のばらつきの許容範囲を示すもので、後述する下限許容値Ｗａd 〜上限許容値Ｗａu の範囲である。
【００１１】
図２（ａ）のＣＰＵ２１は、演算部２２および制御部２３を有していると共に、商品Ｍの重量による選別を行う選別モードと、後述する読出モードとを備えている。
【００１２】
演算部２２は、選別モードにおいて、前記計量コンベヤ１０で計量した計量値と、基準重量および許容偏差Ｗａに基づいて商品Ｍを選別する選別信号を出力する。すなわち、演算部２２は、当該商品Ｍの基準重量に上限許容値Ｗａu を加えた上限値と、基準重量に負数からなる下限許容値Ｗａd を加えた下限値とを算出する。演算部２２は、計量コンベヤ１０で計量した計量値が、該上限値および下限値の間に収まっているか否かの判別を行い、計量値が上限値および下限値の間に収まっていない場合には、振分装置１１に排出信号（選別信号）を出力する。なお、上限値および下限値は、前述のように商品Ｍを選別するための値であるから、基準重量に近い値になるように、許容偏差Ｗａが設定されている。
【００１３】
入力操作部２７は、ストロークキーを備えている。表示部２６は、たとえば、図３（ａ），（ｂ）の検索結果表示画面（第１表示画面）および登録データ表示画面（第２表示画面）を表示する。
【００１４】
図１（ａ）の振分装置１１は、演算部２２からの選別信号に従って商品Ｍを振り分けるものである。該振分装置１１は、搬送ローラ１４と、振分部材１６とを備えており、商品Ｍを搬送方向Ｘに搬送すると共に、マイコン２０から排出信号を受け取ると、振分部材１６を回転させて、商品Ｍを排出方向Ｙ（系外）に排出する。
【００１５】
つぎに、本重量チェッカーの運用方法について説明する。
商品の選別を行うに先立ち、まず、図２の入力操作部２７の所定のキーを押下して、マイコン２０のＣＰＵ２１を読出モードに設定する。読出モードは、計量値に基づいて商品マスタ２５の記憶内容を検索して、１以上の商品の基準重量などを読み出すモードである。
【００１６】
前記モード設定後、計量コンベヤ１０上に商品Ｍを載せて計量を行う。該計量後、演算部２２は、計量値が図２（ｂ）の商品マスタ２５の各商品についての検索範囲重量以内か否かを判別して該検索範囲重量以内の商品を選択する。すなわち、演算部２２は、１つの商品について、基準重量、上限許容値Ｗａu および下限許容値Ｗａd から前述の上限値および下限値を算出する。つぎに、演算部２２は、該上限値および下限値を閾値として用いて、計量値を比較し、計量値が検索範囲重量（下限値〜上限値）の間に入るか否かを判断して、範囲内であれば当該商品を選択する。演算部２２は、この比較・選択を各商品について繰り返し、選択された商品についての商品マスタ２５の登録データの少なくとも一部（各商品を特定し得る情報）、すなわち、呼出No. 、品名および基準重量を読み出す。この読み出しに応じて、制御部２３は、図３（ａ）に示すような検索結果表示画面を表示部２６に表示させる。検索結果表示画面には、演算部２２によって選択された商品の呼出No. 、品名および基準重量が、各商品ごとに表示されると共に、計量値などが表示される。
【００１７】
前記表示後、オペレータは、検索結果表示画面に表示された商品から、該当する商品の呼出No. を図２（ａ）の入力操作部２７のテンキーを押下して指定する。該検索結果表示画面において商品が指定されると、演算部２２によって、前記商品マスタ２５から当該商品Ｍの登録データが読み出され、制御部２３によって該登録データを含む、図３（ｂ）に示す登録データ表示画面が表示部２６に表示される。該登録データ表示画面には、呼出No. 、品名、計量値、基準重量、上限許容値Ｗａu および下限許容値Ｗａd 等が表示される。一方、ＣＰＵ２１に基準重量が設定されると共に、選別モードに移行する。
【００１８】
このように、各商品について、計量値が検索範囲重量以内か否かを演算部２２が判別して選択し、該選択した商品の呼出No. および品名等を図３（ａ）の検索結果表示画面に表示させるので、商品の登録数が多くなっても、該当する商品の呼出No. を容易かつ迅速に見つけ出すことができる。
また、本実施形態では、前記選択・表示を行うのに、商品の選別を行うための基準重量および許容偏差Ｗａを用いているので、商品マスタ２５に選択のための値を別途記憶させる必要がない。
【００１９】
つぎに、選別モードについて説明する。
前記選別モードにおいて、図２（ａ）のＣＰＵ２１は、計量コンベヤ１０によって計量された商品Ｍの計量値を受け取ると、基準重量および許容偏差Ｗａに基づいて商品Ｍの選別を行う。計量値が前記上限値および下限値の間に収まっている場合は、図１（ａ）の振分装置１１は商品Ｍを搬送方向Ｘに搬送する。一方、計量値が前記上限値および下限値の間に収まっていない場合には、振分装置１１に排出信号（選別信号）が出力され、振分装置１１は、マイコン２０から排出信号を受け取ると、振分部材１６を突出させて、商品Ｍを排出方向Ｙ（系外）に排出する。
【００２０】
なお、基準重量、上限許容値Ｗａu および下限許容値Ｗａd から上限値および下限値を算出する代わりに、上限値および下限値を登録データに予め記憶させておいてもよい。また、振分装置１１はアームなどの振分部材を用いた振分装置を用いてもよい。
【００２１】
以上の説明では、計量値と検索重量範囲に基づいて基準重量を読み出したが、本発明では検索重量範囲に基づいて読み出す必要はなく、たとえば、商品の偏差に応じて商品情報を読み出してもよい。
かかる変形例について説明する。
【００２２】
図２（ａ）のメモリ２４は商品マスタ２５と、図２（ｃ）、（ｄ）に示す第１および第２偏差記憶部２４ａ，２４ｂとを備えている。第１および第２偏差記憶部２４ａ，２４ｂには、呼出No. と後述する偏差が互いに関連づけられて記憶される。図２（ａ）のＣＰＵ２１は、選別モードと、計量コンベヤによって計量された商品の計量値に基づいて商品の基準重量を読み出す読出モードとを備えている。
なお、その他の構成は前述の重量チェッカーと同様であり、その詳しい説明を省略する。
【００２３】
つぎに、本変形例の重量チェッカーの運用方法について説明する。
商品の選別を行うに先立ち、まず、図２の入力操作部２７の所定のキーを押下して、マイコン２０のＣＰＵ２１を読出モードに設定する。
前記モード設定後、計量コンベヤ１０上に商品Ｍを載せて計量を行う。該計量後、演算部２２は、商品を計量して得た計量値と、各商品についての前記基準重量との前記偏差を求める。すなわち、演算部２２は、１つの商品について、商品マスタ２５から基準重量を読み出し、計量値から当該基準重量を減算することによって偏差を算出する。演算部２２は当該偏差と当該商品の呼出No. とを互いに関連づけて第１偏差記憶部２４ａに記憶させる。演算部２２は、この演算・記憶を各商品について繰り返し、第１偏差記憶部２４ａに各商品の呼出No. と偏差とを互いに関連づけて記憶させる。
【００２４】
つぎに、演算部２２は、第１偏差記憶部２４ａの各偏差の絶対値をそれぞれ算出し、偏差に応じた順、すなわち、偏差の絶対値の小さい順に該偏差を並べると共に、各偏差に対応する呼出No. を第２偏差記憶部２４ｂに記憶させる。この後、演算部２２は第２偏差記憶部２４ｂの呼出No. に基づいて、商品マスタ２５の登録データの少なくとも一部（各商品を特定し得る情報）、すなわち、呼出No. 、品名および基準重量を読み出す。この読み出しに応じて、制御部２３は、図３（ｃ）に示す検索結果表示画面を表示部２６に表示させる。検索結果表示画面には、演算部２２によって偏差の絶対値の小さい順に商品の呼出No. 、品名、基準重量および偏差が、各商品ごとに表示されると共に、計量値などが表示される。
【００２５】
前記表示後、オペレータは、図２（ａ）の入力操作部２７のストロークキーを押下して、該検索結果表示画面を上下にスクロールさせ、該検索結果表示画面に表示された商品から、該当する商品の呼出No. を入力操作部２７のテンキーを押下して指定する。該検索結果表示画面において商品が指定されると、演算部２２によって、前記商品マスタ２５から当該商品Ｍの登録データが読み出され、制御部２３によって該登録データを含む、図３（ｂ）に示す登録データ表示画面が表示部２６に表示される。一方、ＣＰＵ２１に基準重量が設定されると共に、選別モードに移行し、該選別モードにおいて商品の選別が行われる。
【００２６】
このように、各商品について、計量値と基準重量との偏差を演算部２２が求め、該偏差に応じた順に、商品の呼出No. および品名等を図３（ｃ）の検索結果表示画面に表示させるので、商品の登録数が多くなっても、該当する商品の呼出No. を容易かつ迅速に見つけ出すことができる。
【００２７】
本発明において「偏差に応じた順」とは、前述のように、偏差の絶対値が小さい順に表示してもよいが、他の情報と組み合わせてもよい。たとえば、商品の基準の大きさが分かっているような場合において、商品の大きさを検出し、該商品の大きさの基準を満たすもののうち、偏差の絶対値が小さい商品から順に表示をしてもよい。また、重量チェッカーにおいては偏差が正（測定重量＞基準重量）の商品と偏差が負の商品とに分けて表示できるようにしてもよい。
【００２８】
【発明の効果】
以上説明したように、本発明によれば、読出モードを設け、該読出モードにおいて、商品を計量すると、当該計量値と等しいかそれに近い設定重量を商品情報記憶部から読み出して表示するようにしたので、商品の登録数が多くなっても、該当する商品を容易かつ迅速に見つけ出すことができる。
【図面の簡単な説明】
【図１】  本発明の第１実施形態にかかる重量チェッカーを示す概略側面図および断面図である。
【図２】  （ａ）は同重量チェッカーを示す概略構成図、（ｂ）は商品マスタの記憶内容を示す図表、（ｃ），（ｄ）は偏差記憶部の記憶内容を示す図表である。
【図３】  同重量チェッカーの表示部を示す正面図である。
【符号の説明】
２２：演算部
２３：制御部
２５：商品情報記憶部
２６：表示部
２８：計量手段
【図１】
0004024924.tif 000002
【図２】
0004024924.tif 000003
【図３】
0004024924.tif 000004